(57)【特許請求の範囲】
【請求項１】
バラストタンクのエア開口に接合される下部スリーブパイプフランジを有する下部スリーブパイプと、
当該下部スリーブパイプフランジにボルトナットで接合される上部スリーブパイプフランジを有する上部スリーブパイプとからなる船舶のエアパイプ構造において、
前記エア開口及び前記上部スリーブパイプ、前記下部スリーブパイプの口径は、前記上甲板までの前記エアパイプの全長を通じたバラストタンク内の空気が抜ける瞬間的な変動割合から導かれる十分なエア量を考慮した内径であり、前記エア開口において、前記下部スリーブパイプが接合される前記内側溶接部を除いた内径が略等しい前記エア開口の内径で、かつ、前記上部スリーブパイプの外径が前記下部スリーブパイプに内接する内径を有する前記下部スリーブパイプ口径であることを特徴とする船舶のエアパイプ構造。
【請求項２】
バラストタンクの天板に前記上甲板までの前記エアパイプの全長を通じたバラストタンク内の空気が抜ける瞬間的な変動割合から導かれる十分なエア量を考慮した内径を有するエア開口を設ける工程と、
エアパイプの上部を構成するパイプであって、前記バラストタンクの天板のエア開口よりは大きな内径を有する上部スリーブパイプ端に所定形状の上部スリーブパイプフランジを溶接する工程と、
エアパイプの下部を構成するパイプであって、前記上部スリーブパイプの外径に内接する内径を有する下部スリーブパイプ端に所定形状の下部スリーブパイプフランジを溶接する工程と、
前記上部スリーブパイプフランジと前記下部スリーブパイプフランジとをボルトナットにより接合する工程と、
からなることを特徴とする船舶のエアパイプ製作方法。
【発明の詳細な説明】
【技術分野】
【０００１】
本発明は、船舶におけるエアパイプ構造およびその製作方法に関する。
【背景技術】
【０００２】
従来、船舶には、船体の喫水を一定に保つため、ヒールやトリムを所定に保つため、または、積荷に合せて船体縦強度を所定の範囲に保つため、数十個のバラストタンクが設けられている。該バラストタンクは、船体の船側や二重底に設けられ、各バラストタンクには、バラストタンク内のバラスト水を注排水時のエア抜き又はエア吸い込みのために、上甲板上に貫通するエアパイプが設けられている。
【０００３】
この種のエアパイプに関しては、例えば、特開平１１−４９０８３号公報に開示のものが知られている。
図３は、当該特開平１１−４９０８３号公報の図２として開示される開示発明の積み荷流出防止装置を設けたタンカーの一部の断面図であり、図３において、符号２０２は、隔壁、２０３は、ハッチ、２０４は、オイルパイプ、２０５は、エア抜きパイプ、２０６は、天井板、２０７は、開閉弁、２０８は、送油パイプ、２０９は、カップリング、２１０は、開閉弁、２１１は、エアパイプ、２１２は、真空ポンプ、２１３は、空間である（図３において、先行技術であることを明らかにするため符号は二百番台に替えて付した。）。
【０００４】
図３に示される特開平１１−４９０８３号公報の開示は、発明名称「タンカーのハッチ内の積み荷流出防止装置」に係り、「座礁などの事故により船腹が破損した場合に、積み荷の流出を防止し、海を汚したり環境破壊を防止するためのタンカーのハッチ内の積み荷流出防止装置を提供すること」を目的として(同公報明細書段落番号０００３参照)、「ハッチの上部に開口したエア抜きパイプをハッチに設け、エア抜きパイプを真空ポンプに接続したこと」の構成とすることにより(同公報特許請求の範囲請求項１の記載参照）、「ハッチ内の積み荷の流出が防止でき、海を汚したり環境破壊を生じることがなくなる」等の効果を奏するものである(同公報明細書段落番号００１３参照)。
【０００５】
また、図２は、船側のバラストタンクから上甲板上に貫通する従来のエアパイプの概略図であり、図２において、符号１００は、エアパイプ、１０１は、上甲板、１０３は、下部スリーブパイプ、１０４は、前記上甲板１０１に設けられるエア開口、１０５は、当該エア開口１０４と前記下部スリーブパイプを接合する外側溶接部、１０６は、同内側溶接部、１０７は、前記下部スリーブパイプ１０３に内接する上部スリーブパイプ、１０８は、当該上部スリーブパイプ１０７と前記下部スリーブパイプ１０３とを接合する溶接部、１０９は、前記エアパイプ１００の上部取り付けられるカバー、１１０は、海水等の侵入を阻止するフロートである。また、符号１１１で示す楕円破線は、溶接未施工部であり、矢印は、空気の流れを示す。
【０００６】
この種のエアパイプ１００には、一般的に、前記上部スリーブパイプ１０７としては、６５〜２００ｍｍ径で６１０ｍｍ長程度のパイプが、また、前記下部スリーブパイプ１０３としては、１２５〜２５０ｍｍ径で１５０ｍｍ長程度のものが用いられている。
【０００７】
図２に示すように、前記エアパイプ１００の基本構造は、口径の異なる前記下部スリーブパイプ１０３と前記上部スリーブパイプ１０７からなり、図２に示すように、前記上甲板１０１上に前記下部スリーブパイプ１０３を溶接部１０５、１０６にて前記エア開口１０４上に取り付けた後に、前記下部スリーブパイプ１０３の内径と外形が略同じ前記上部スリーブパイプ１０７を前記下部スリーブパイプ１０３の上部に嵌め込み、しかる後、前記溶接部１０８にて接合する。
【０００８】
このとき、溶接を行うことが可能なのは、外周部のみの前記溶接部１０８だけであり、前記上部スリーブパイプ１０７の下部（楕円破線）１１１は、溶接ができず、未溶接のため、錆が発生する原因となるという問題があった。また、未溶接のため、強度不足という問題も有していた。
【先行技術文献】
【特許文献】
【０００９】
【特許文献１】特開平１１−４９０８３号公報
【発明の概要】
【発明が解決しようとする課題】
【００１０】
上記のような問題点に鑑み、本発明は、船舶におけるエアパイプにおいて、エアパイプ内の錆発生の原因を取除き、かつ、エアパイプに十分な強度を有するエアパイプ構造およびエアパイプ製作方法を提供することを目的とする。
【課題を解決するための手段】
【００１１】
上記課題を解決するために、本願請求項１に係る発明は、船舶のエアパイプ構造において、バラストタンクのエア開口に接合される下部スリーブパイプフランジを有する下部スリーブパイプと、当該下部スリーブパイプフランジにボルトナットで接合される上部スリーブパイプフランジを有する上部スリーブパイプとからなる船舶のエアパイプ構造において、前記エア開口及び前記上部スリーブパイプ、前記下部スリーブパイプの口径は、前記上甲板までの前記エアパイプの全長を通じたバラストタンク内の空気が抜ける瞬間的な変動割合から導かれる十分なエア量を考慮した内径であり、前記エア開口において、前記下部スリーブパイプが接合される前記内側溶接部を除いた内径が略等しい前記エア開口の内径で、かつ、前記上部スリーブパイプの外径が前記下部スリーブパイプに内接する内径を有する前記下部スリーブパイプ口径であることを特徴とする。
また、本願請求項２に係る発明は、船舶のエアパイプ製作方法であって、バラストタンクの天板に前記上甲板までの前記エアパイプの全長を通じたバラストタンク内の空気が抜ける瞬間的な変動割合から導かれる十分なエア量を考慮した内径を有するエア開口を設ける工程と、エアパイプの上部を構成するパイプであって、前記バラストタンクの天板のエア開口よりは大きな内径を有する上部スリーブパイプ端に所定形状の上部スリーブパイプフランジを溶接する工程と、エアパイプの下部を構成するパイプであって、前記上部スリーブパイプの外径に内接する内径を有する下部スリーブパイプ端に所定形状の下部スリーブパイプフランジを溶接する工程と、前記上部スリーブパイプフランジと前記下部スリーブパイプフランジとをボルトナットにより接合する工程と、からなることを特徴とする。
【発明の効果】
【００１２】
本発明は、上述のとおり構成されているので、次に記載する効果を奏する。
（１）エアパイプ内部に未溶接部分が無くなったため、錆の発生原因を取除くことが可能となった。
（２）また、強度不足という問題を取除くことが可能となった。
【図面の簡単な説明】
【００１３】
【図１】図１は、本発明に係る船舶のエアパイプ構造およびその製作方法を実施するための最良の形態の一実施例である船舶のエアパイプ構造およびその製作方法の実施例１を示す概略図、
【図２】図２は、船側のバラストタンクから上甲板上に貫通する従来のエアパイプの概略図、
【図３】図３は、特開平１１−４９０８３号公報の図２として開示される開示発明の積み荷流出防止装置を設けたタンカーの一部の断面図である。
【発明を実施するための形態】
【００１４】
本発明に係る船舶のエアパイプ構造およびその製作方法を実施するための最良の形態としての一実施例を図面に基づき詳細に説明する。
【実施例１】
【００１５】
図１は、本発明に係る船舶のエアパイプ構造およびその製作方法を実施するための最良の形態の一実施例である船舶のエアパイプ構造およびその製作方法の実施例１を示す概略図である。
図１において、符号１は、本実施例１に係る船舶のエアパイプ構造、２は、下部スリーブパイプフランジ、３は、上部スリーブパイプフランジ、４は、前記下部スリーブパイプフランジ２及び前記上部スリーブフランジ３を接合するボルトナット、５は、前記下部スリーブパイプ１０３と前記下部スリーブパイプフランジ２との溶接部、６は、前記上部スリーブパイプ１０７と前記上部スリーブパイプフランジ３との溶接部であり、矢印は、空気の流れを示す。その余の部材は図２に示した部材と同一の符号で示す。
【００１６】
本実施例１に係る船舶のエアパイプ構造１は、図１に示すように、前記バラストタンク１０２の前記エア開口１０４に接合される前記下部スリーブパイプフランジ２を有する下部スリーブパイプ１０３と、当該下部スリーブパイプフランジ３にボルトナット４で接合される前記上部スリーブパイプフランジ３を有する前記上部スリーブパイプ１０７とからなる。
【００１７】
すなわち、前記下部スリーブパイプ１０３に前記下部スリーブパイプフランジ２を溶接にて取り付けた後、前記上甲板上１０１に該フランジ２付きの前記下部スリーブパイプ１０３を溶接にて接合し、該フランジ２付き下部スリーブパイプ１０３上に、前記上部スリーブパイプフランジ３付き上部スリーブパイプ１０７を置いて、各フランジ２、３をボルトナット４により螺合する構造とする。
【００１８】
このような構造とすることにより、従来、作業性のみ考慮して、前記下部スリーブパイプ１０３に前記上部スリープパイプ１０７の外周のみ前記溶接部１０８で溶接するだけで、前記上部スリーブパイプ１０７の下部の溶接未施工部１１１から発生する錆が問題視されてきたため、該錆の発生を抑えるための構造である。
【００１９】
なお、前記エア開口１０４及び前記上部スリーブパイプ１０７、前記下部スリーブパイプ１０３の口径は、基本的には、前記各バラストタンク容量と当該エアパイプ１００の全長を通じてエア抜きに十分な口径を必要とし、このため、前記上甲板１０１までの前記エアパイプ１００の全長を通じたバラストタンク１０２内の空気量が抜ける瞬間的な変動割合から導かれる十分なエア抜きを考慮して、前記上部スリーブパイプ１０７の内径が規定され、次いで、当該エア開口１０４と前記下部スリーブパイプを内側から接合する前記内側溶接部１０６を除いた内径が略等しくなるように前記エア開口の内径が規定される。
【００２０】
そして、前記下部スリーブパイプ１０３の内径は、前記上部スリーブパイプ１０７の外径が内接する内径を有する。つまり、前記上部スリーブパイプ１０７の径を前記下部スリーブパイプ１０３の径より小さい径のパイプとするのは、前記下部スリーブパイプ１０３と前記上甲板１０１との前記当該エア開口と前記下部スリーブパイプ１０３を接合する内側溶接部１０６を要するため、前記エア開口１０４の開口径（開口面積）が減少し、エアを十分に抜くことができなくなるおそれがあるため、前記下部スリーブパイプ１０３の径は前記上部スリーブパイプ１０７の径よりも太くしている。
【００２１】
（本実施例１に係る船舶のエアパイプ構造１の製作）
本実施例１に係る船舶のエアパイプ構造１の製作は、前記下部スリーブパイプ１０３に前記下部スリーブパイプフランジ２を溶接にて取り付けた後、前記上甲板１０１上に該フランジ２付きの下部スリーブパイプ１０３を溶接にて接合し、該フランジ２付き下部スリーブパイプ１０３上に、前記上部スリーブパイプフランジ３付き上部スリーブパイプ１０７を置いて、各フランジ２、３間を前記ボルトナット４により螺合することによりエアパイプを製作する。
【００２２】
すなわち、本実施例１に係る船舶のエアパイプ構造１の製作は、大要、（１）バラストタンクの天板にエア抜きに十分な内径を有するエア開口を設ける工程と、（２）エアパイプの上部を構成するパイプであって、前記バラストタンクの天板のエア開口よりは大きな内径を有する上部スリーブパイプ端に所定形状の上部スリーブパイプフランジを溶接する工程と、（３）エアパイプの下部を構成するパイプであって、前記上部スリーブパイプの外径に内接する内径を有する下部スリーブパイプ端に所定形状の下部スリーブパイプフランジを溶接する工程と、（５）前記上部スリーブパイプフランジと前記下部スリーブパイプフランジとをボルトナットにより接合する工程と、からなり、前記エア開口１０４及び前記上部スリーブパイプ１０７、前記下部スリーブパイプ１０３の口径は、前記上甲板１０１までの前記エアパイプ１００の全長を通じたバラストタンク１０２内の空気が抜ける瞬間的な変動割合から導かれる十分なエア抜き量を考慮して、前記上部スリーブパイプ１０７の内径が規定され、次いで、当該エア開口１０４と前記下部スリーブパイプを内側から接合する前記内側溶接部１０６を除いた内径が略等しくなるように前記エア開口の内径が規定され、そして、前記上部スリーブパイプ１０７の外径が前記下部スリーブパイプ１０３に内接する内径を有する。
【産業上の利用可能性】
【００２３】
本発明は、船舶のエアパイプに利用される。
【符号の説明】
【００２４】
１ エアパイプ構造
２ 下部スリーブパイプフランジ
３ 上部スリーブパイプフランジ
４ ボルトナット
５、６ 溶接部
１００ エアパイプ
１０１ 上甲板
１０２ バラストタンク
１０３ 下部スリーブパイプ
１０４ エア開口
１０５ 外側溶接部
１０６ 内側溶接部
１０７ 上部スリーブパイプ
１０８ 溶接部
１０９ カバー
１１０ フロート
１１１ 溶接未施工部
２０２ 隔壁
２０３ ハッチ
２０４ オイルパイプ
２０５ エア抜きパイプ
２０６ 天井板
２０７ 開閉弁
２０８ 送油パイプ
２０９ カップリング
２１０ 開閉弁
２１１ エアパイプ
２１２ 真空ポンプ
２１３ 空間
【図１】
0005389206.tif 000002
【図２】
0005389206.tif 000003
【図３】
0005389206.tif 000004